(57)【要約】【課題】  粉末状のアルカリ性成分と酸性成分との浴湯への溶解・攪拌・拡散を迅速，容易，確実になし，もって浴湯中で継続的に炭酸ガスを発生させ高濃度の炭酸ガスを長時にわたり維持することができる浴用炭酸泉簡易製造装置の提供。【解決手段】タンク周面に配設の複数の小孔を介して内部に浴湯を取り入れてそのタンク上側部を湯面上に浮かべる蓋付きの溶解タンクとその下方に接続し又は浴湯中に位置する水中ポンプとからなるアルカリ性又は酸性の粉末状成分の溶解・攪拌・拡散装置本体を具備し、粉末状のアルカリ性成分又は酸性成分を投入した溶解タンクは浴湯中深くに沈められ、粉末状の両成分は湯船内の温水を循環還流させる水中ポンプによる旋回流を受けて夫々別々に溶解・攪拌されて湯船の浴湯中深くに溶液状となって繰り返し循環還流・拡散されて緩やかに接触し，もって高濃度の炭酸ガスが継続して発生され長時間維持されるようになす。【選択図】図２
2014018772.tif 000002
【特許請求の範囲】
【請求項１】
タンク本体周面に配設の複数の小孔を介して内部に湯船の浴湯を取り入れてその小孔より下方のタンク本体下側部を湯面下方の浴湯中に位置せしめその小孔より上方のタンク本体上側部を湯面上に浮かべる蓋付きの溶解タンクと，その下方に接続して浴湯中に配置されて前記溶解タンク内に取り入れられた湯船の浴湯の吸引又は浴湯の吐出に伴い湯船の浴湯中の温水を循環還流せしめる水中ポンプとからなる，アルカリ性又は酸性の粉末状成分の浴湯中の温水への溶解，攪拌，拡散を図る溶解・攪拌・拡散装置本体を具備してなり、粉末状のアルカリ性成分又は粉末状の酸性成分を金網状ないしメッシュ状の漉し器を介して又は介さずして投入した溶解タンク全体が浴湯中深くに沈められ、その投入された粉末状のアルカリ性成分又は粉末状の酸性成分は湯船の浴湯中の温水を循環還流させる水中ポンプの吸引又は吐出による旋回流ないし噴水流を受けて夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とする浴用炭酸泉の簡易製造装置。
【請求項２】
アルカリ性又は酸性の粉末状成分を投入する蓋付きの溶解タンクとして、タンク本体内部に金網状ないしメッシュ状の漉し器を配設し，タンク本体周面に複数の小孔を配設するとともに，タンク本体を棒状ないし紐状の吊り下げ具を介して湯船の縁枠ないし壁面等に吊り下げ配置せしめることにより，前記タンク本体周面に配設した複数の小孔を介してタンク本体内部に湯船の浴湯を取り入れてその小孔より下方のタンク本体下側部を湯面下方の浴湯中に位置せしめその小孔より上方のタンク本体上側部を湯面上に浮かせて溶解タンクを浴湯中で揺動ないし旋回可能となしたものを用い、湯船の浴湯中の温水を循環還流せしめる水中ポンプとして、前記溶解タンクの下方に吸引口を接続して浴湯中に配置されてその溶解タンク内に取り入れられた湯船の浴湯の吸引に伴い湯船の浴湯中の温水を循環還流せしめるものを用いており、粉末状のアルカリ性成分又は粉末状の酸性成分を金網状ないしメッシュ状の漉し器を介して投入した溶解タンク全体が吊り下げ具を外して浴湯中深くに沈められ、その投入された粉末状のアルカリ性成分又は粉末状の酸性成分は水中ポンプの吸引による旋回流を受けて金網状ないしメッシュ状の目の細かい漉し器を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とする請求項１に記載の浴用炭酸泉の簡易製造装置。
【請求項３】
アルカリ性又は酸性の粉末状成分を投入する蓋付きの溶解タンクとして、タンク本体内部に金網状ないしメッシュ状の漉し器を配設し，タンク本体周面に複数の小孔を配設するとともに，タンク本体周面に配設の複数の小孔より上方のタンク本体上側部周面にタンク本体と一体の円板型等の鍔状の浮き体を付設せしめて溶解タンクの浮き体より上側部分を浴湯の湯面上に浮かせて溶解タンクを浴湯中で揺動ないし旋回可能となすことにより，前記タンク本体周面に配設した複数の小孔を介してタンク本体内部に湯船の浴湯を取り入れてその小孔より下方のタンク本体下側部を湯面下方の浴湯中に位置せしめその小孔より上方のタンク本体上側部を湯面上に浮かべるようになしたものを用い、湯船の浴湯中の温水を循環還流せしめる水中ポンプとして、前記溶解タンクの下方に吸引口を接続して浴湯中に配置されてその溶解タンク本体内に取り入れられた湯船の浴湯の吸引に伴い湯船の浴湯中の温水を循環還流せしめるものを用いており、粉末状のアルカリ性成分又は粉末状の酸性成分を金網状ないしメッシュ状の漉し器を介して投入した溶解タンク全体が一体付設の鍔状の浮き体と共に浴湯中深くに沈められ、その投入された粉末状のアルカリ性成分又は粉末状の酸性成分は水中ポンプの吸引による旋回流を受けて金網状ないしメッシュ状の目の細かい漉し器を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とする請求項１に記載の浴用炭酸泉の簡易製造装置。
【請求項４】
アルカリ性又は酸性の粉末状成分を投入する蓋付きの溶解タンクとして、タンク本体内部に金網状ないしメッシュ状の漉し器を配設し，タンク本体周面に複数の小孔を配設するとともに，タンク本体周面に配設の複数の小孔より上方のタンク本体上側部周面に発泡スチロール製等のドーナツ円板型等の浮き体を着脱可能に付設せしめて溶解タンクの浮き体より上側部分を浴湯の湯面上に浮かせて溶解タンクを浴湯中で揺動ないし旋回可能となすことにより，前記タンク本体周面に配設した複数の小孔を介してタンク本体内部に湯船の浴湯を取り入れてその小孔より下方のタンク本体下側部を湯面下方の浴湯中に位置せしめその小孔より上方のタンク本体上側部を湯面上に浮かべるようになしたものを用い、湯船の浴湯中の温水を循環還流せしめる水中ポンプとして、前記溶解タンクの下方に吸引口を接続して浴湯中に配置されてその溶解タンク本体内に取り入れられた湯船の浴湯の吸引に伴い湯船の浴湯中の温水を循環還流せしめるものを用いており、粉末状のアルカリ性成分又は粉末状の酸性成分を金網状ないしメッシュ状の漉し器を介して投入した溶解タンク全体が浮き体を取り外して浴湯中深くに沈められ、その投入された粉末状のアルカリ性成分又は粉末状の酸性成分は水中ポンプの吸引による旋回流を受けて金網状ないしメッシュ状の目の細かい漉し器を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とする請求項１に記載の浴用炭酸泉の簡易製造装置。
【請求項５】
アルカリ性又は酸性の粉末状成分を投入する蓋付きの溶解タンクとして、タンク本体を目の細かい多数の小孔を有する金網状ないしメッシュ状の漉し器と同様のもので形成し，タンク本体を棒状ないし紐状の吊り下げ具を介して湯船の縁枠ないし壁面等に吊り下げ配置せしめることにより，前記タンク本体周面に有する多数の小孔を介してタンク本体内部に程よく湯船の浴湯を取り入れてタンク本体下側部を湯面下方の浴湯中に位置せしめタンク本体上側部を湯面上に浮かせて溶解タンクを浴湯中で揺動ないし旋回可能となしたものを用い、湯船の浴湯中の温水を循環還流せしめる水中ポンプとして、前記溶解タンクの下方に吸引口を接続して浴湯中に配置されてその溶解タンク内に取り入れられた湯船の浴湯の吸引に伴い湯船の浴湯中の温水を循環還流せしめるものを用いており、粉末状のアルカリ性成分又は粉末状の酸性成分を投入した金網状ないしメッシュ状の漉し器と同様のもので形成された溶解タンク全体が吊り下げ具を外して浴湯中深くに沈められ、その投入された粉末状のアルカリ性成分又は粉末状の酸性成分は水中ポンプの吸引による旋回流を受けて金網状ないしメッシュ状の目の細かい漉し器と同様のもので形成されたタンク本体の周壁面を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とする請求項１に記載の浴用炭酸泉の簡易製造装置。
【請求項６】
アルカリ性又は酸性の粉末状成分を投入する蓋付きの溶解タンクとして、タンク本体を目の細かい多数の小孔を有する金網状ないしメッシュ状の漉し器と同様のもので形成し，タンク本体上側部周面にタンク本体と一体の円板型等の鍔状の浮き体を付設せしめて溶解タンクの浮き体より上側部分を浴湯の湯面上に浮かせて溶解タンクを浴湯中で揺動ないし旋回可能となすことにより，前記タンク本体周面に有する多数の小孔を介してタンク本体内部に程よく湯船の浴湯を取り入れてタンク本体下側部を湯面下方の浴湯中に位置せしめタンク本体上側部を湯面上に浮かべるようになしたものを用い、湯船の浴湯中の温水を循環還流せしめる水中ポンプとして、前記溶解タンクの下方に吸引口を接続して浴湯中に配置されてその溶解タンク内に取り入れられた湯船の浴湯の吸引に伴い湯船の浴湯中の温水を循環還流せしめるものを用いており、粉末状のアルカリ性成分又は粉末状の酸性成分を投入した金網状ないしメッシュ状の漉し器と同様のもので形成された溶解タンク全体が一体付設の鍔状の浮き体と共に浴湯中深くに沈められ、その投入された粉末状のアルカリ性成分又は粉末状の酸性成分は水中ポンプの吸引による旋回流を受けて金網状ないしメッシュ状の目の細かい漉し器と同様のもので形成されたタンク本体の周壁面を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とする請求項１に記載の浴用炭酸泉の簡易製造装置。
【請求項７】
アルカリ性又は酸性の粉末状成分を投入する蓋付きの溶解タンクとして、タンク本体を目の細かい多数の小孔を有する金網状ないしメッシュ状の漉し器と同様のもので形成し，タンク本体上側部周面に発泡スチロール製等のドーナツ円板型等の浮き体を着脱可能に付設せしめて溶解タンクの浮き体より上側部分を浴湯の湯面上に浮かせて溶解タンクを浴湯中で揺動ないし旋回可能となすことにより，前記タンク本体周面に有する多数の小孔を介してタンク本体内部に程よく湯船の浴湯を取り入れてタンク本体下側部を湯面下方の浴湯中に位置せしめタンク本体上側部を湯面上に浮かべるようになしたものを用い、湯船の浴湯中の温水を循環還流せしめる水中ポンプとして、前記溶解タンクの下方に吸引口を接続して浴湯中に配置されてその溶解タンク内に取り入れられた湯船の浴湯の吸引に伴い湯船の浴湯中の温水を循環還流せしめるものを用いており、粉末状のアルカリ性成分又は粉末状の酸性成分を投入した金網状ないしメッシュ状の漉し器と同様のもので形成された溶解タンク全体が浮き体を取り外して浴湯中深くに沈められ、その投入された粉末状のアルカリ性成分又は粉末状の酸性成分は水中ポンプの吸引による旋回流を受けて金網状又はメッシュ状の目の細かい漉し器と同様のもので形成されたタンク本体の周壁面を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とする請求項１に記載の浴用炭酸泉の簡易製造装置。
【請求項８】
タンク本体を目の細かい多数の小孔を有する金網状ないしメッシュ状の漉し器と同様のもので形成した溶解タンクのタンク本体内部に，金網状ないしメッシュ状の漉し器を配設したことを特徴とする請求項５、請求項６又は請求項７に記載の浴用炭酸泉の簡易製造装置。
【請求項９】
湯船の浴湯中の温水を循環還流せしめる水中ポンプとして、粉末状のアルカリ性成分又は酸性成分を投入する溶解タンクの下方に吐出口を接続して浴湯中に配置されてその溶解タンク内に取り入れられた湯船の浴湯の吐出に伴い湯船の浴湯中の温水を循環還流せしめるものを用いており、粉末状のアルカリ性成分又は粉末状の酸性成分を投入した溶解タンク全体が浴湯中深くに沈められ、その投入された粉末状のアルカリ性成分又は粉末状の酸性成分は水中ポンプの吐出による噴水流を受けて溶解タンクを通して夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とする請求項１、請求項２、請求項３、請求項４、請求項５、請求項６、請求項７又は請求項８に記載の浴用炭酸泉の簡易製造装置。
【請求項１０】
タンク本体に有する目の細かい多数の小孔を介して湯船の浴湯中の温水を取り入れ，アルカリ性又は酸性の粉末状成分を投入してその溶解を図る蓋付きの溶解タンクと，浴湯中に配置されて前記溶解タンク内に取り入れられてくる湯船の浴湯の吸引又は吐出に伴って湯船の浴湯中の温水を循環還流せしめる水中ポンプとからなる，アルカリ性又は酸性の粉末状成分の浴湯中の温水への溶解，攪拌，拡散を図る溶解・攪拌・拡散装置本体を具備してなり、その粉末状のアルカリ性成分又は酸性成分を投入した金網状ないしメッシュ状の漉し器と同様のもので形成された溶解タンク全体が浴湯中深くに沈められて，湯船の底面上に置かれている水中ポンプの吸引口又は吐出口近くに隣接配置され、その投入された粉末状のアルカリ性成分又は酸性成分は水中ポンプの吸引による旋回流又は吐出による噴水流を受けて金網状又はメッシュ状の漉し器と同様のもので形成された目の細かいタンク本体の周壁面を通過せしめられて夫々別々に迅速，容易，確実に溶解・攪拌されるとともに，効率良く湯船の浴湯中深くにおいて溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とする浴用炭酸泉の簡易製造装置。
【請求項１１】
湯船の浴湯中の温水を取り入れるべくタンク本体を目の細かい多数の小孔を有する金網状ないしメッシュ状の漉し器と同様のもので形成し，アルカリ性又は酸性の粉末状成分を投入する蓋付きの溶解タンクのタンク本体内部に，金網状ないしメッシュ状の漉し器を配設したことを特徴とする請求項１０に記載の浴用炭酸泉の簡易製造装置。
【請求項１２】
下方の水中ポンプによる溶解タンク内に取り入れられた湯船の浴湯の吸引に伴う旋回流ないし吐出に伴う噴水流と相まって粉末状のアルカリ性成分又は粉末状の酸性成分の溶解・攪拌を図るべく溶解タンク内に配設された目の細かい金網状ないしメッシュ状の漉し器の形状を，下方に向けて深くＵ字形に湾曲するＵ字型形状もしくは上方に向けて浅く逆Ｕ字形に湾曲するフラットな皿型形状となしたことを特徴とする請求項１、請求項２、請求項３、請求項４、又は請求項８、請求項９、又は請求項１１に記載の浴用炭酸泉の簡易製造装置。
【請求項１３】
粉末状のアルカリ性成分又は粉末状の酸性成分の溶解タンク内周面にメッシュないしブラシ状のマットを張り巡らして，浴湯中の水中ポンプによる溶解タンク内に取り入れられた湯船の浴湯の吸引に伴う旋回流ないし吐出に伴う噴水流を受けて溶解・攪拌される粉末状のアルカリ性成分又は粉末状の酸性成分を前記メッシュないしブラシ状のマットの絡みつく繊維内へ押し込み通過させることにより，粉末状のアルカリ性成分又は粉末状の酸性成分の浴湯の温水中への溶解度を高めるようになしたことを特徴とする請求項１、請求項２、請求項３、請求項４、請求項５、請求項６、請求項７、請求項８、請求項９、請求項１０、請求項１１又は請求項１２に記載の浴用炭酸泉の簡易製造装置。
【請求項１４】
タンク本体周面に配設の複数ないし多数の小孔を介して内部に湯船の浴湯を取り入れ粉末状のアルカリ性成分又は粉末状の酸性成分を投入する蓋付きの溶解タンクと，その下方の浴湯中に配置され湯船の浴湯中の温水を循環還流せしめる水中ポンプとからなり、溶解タンク内に投入された粉末状のアルカリ性成分又は粉末状の酸性成分を溶解タンク内に取り入れられてくる浴湯中の温水の水中ポンプによる吸引又は吐出に伴う旋回流又は噴水流により夫々別々に浴湯への溶解・攪拌・拡散を図る溶解・攪拌・拡散装置本体を具備してなり、このアルカリ性成分又は酸性成分の粉末状成分の浴湯への溶解・攪拌・拡散装置本体一対を湯船の両側端部又は偶角部に対向離隔して配置し，その粉末状成分の浴湯への溶解・攪拌・拡散装置本体の一方をアルカリ性成分用，他方を酸性成分用となしたことを特徴とする請求項１、請求項２、請求項３、請求項４、請求項５、請求項６、請求項７、請求項８、請求項９、請求項１０、請求項１１、請求項１２又は請求項１３に記載の浴用炭酸泉の簡易製造装置。
【請求項１５】
タンク本体周面に配設の複数ないし多数の小孔を介して内部に湯船の浴湯を取り入れ粉末状のアルカリ性成分又は粉末状の酸性成分を投入する蓋付きの溶解タンクと，その下方の浴湯中に配置され湯船の浴湯中の温水を循環還流せしめる水中ポンプとからなり、溶解タンク内に投入された粉末状のアルカリ性成分又は粉末状の酸性成分を溶解タンク内に取り入れられてくる浴湯中の温水の水中ポンプによる吸引又は吐出に伴う旋回流又は噴水流により夫々別々に浴湯への溶解・攪拌・拡散を図る溶解・攪拌・拡散装置本体を具備してなり、このアルカリ性成分又は酸性成分の粉末状成分の浴湯への溶解・攪拌・拡散装置本体を湯船の四隅に対向離隔して配置し，この四隅に対向する粉末状成分の浴湯への溶解・攪拌・拡散装置本体を四隅交互にアルカリ性成分用と酸性成分用とに振り分けけたことを特徴とする請求項１、請求項２、請求項３、請求項４、請求項５、請求項６、請求項７、請求項８、請求項９、請求項１０、請求項１１、請求項１２又は請求項１３に記載の浴用炭酸泉の簡易製造装置。
【請求項１６】
粉末状のアルカリ性成分として重曹（炭酸水素ナトリウム），炭酸ナトリウム等のアルカリを用い，粉末状の酸性成分としてクエン酸，コハク酸等の酸を用いたことを特徴とする請求項１、請求項２、請求項３、請求項４、請求項５、請求項６、請求項７、請求項８、請求項９、請求項１０、請求項１１、請求項１２、請求項１３、請求項１４又は請求項１５に記載の浴用炭酸泉の簡易製造装置。
【発明の詳細な説明】
【技術分野】
【０００１】
本発明は、粉末状のアルカリ性成分と酸性成分との浴湯中の温水への溶解・攪拌・拡散を夫々別々に迅速，容易，確実に効率良く行い，もって浴湯中深くで継続的に炭酸ガスを発生させ高濃度の炭酸ガスを長時間にわたり安定して維持させることができる浴用炭酸泉の簡易製造装置に関するものである。
とりわけ本発明は、粉末状のアルカリ性成分又は酸性成分を投入し内部に浴湯を取り入れてタンク上側部を湯面上に浮かべタンク下側部を湯面の下方に沈めて用いる若しくは粉末状のアルカリ性成分又は酸性成分を投入し内部に浴湯を取り入れてタンク全体を湯面の下方に沈めて用いる蓋付きの溶解タンクとその下方に接続して又は接続せずして浴湯中に位置して湯船内の温水を循環還流させる水中ポンプとを有効利用することにより、金網状ないしメッシュ状の漉し器を介して又は介さずして粉末状のアルカリ性成分又は酸性成分を投入した溶解タンク全体が浴湯中深くに沈められ、その粉末状のアルカリ性成分又は酸性成分は湯船内の温水を循環還流させる水中ポンプの吸引又は吐出による旋回流ないし噴水流を受けて夫々別々に迅速，容易，確実に溶解・攪拌されるとともに効率良く湯船の浴湯中深くに溶液状となって繰り返し循環還流・拡散されて緩やかに接触し，もって浴湯中で継続的に炭酸ガスを発生させ高濃度の炭酸ガスを長時間にわたり安定して維持させることができる浴用炭酸泉の簡易製造装置に係るものである。
【０００２】
本発明の浴用炭酸泉の簡易製造装置は、一般家庭での浴槽において手軽に用いることができることはもとより、公衆浴場やホテル，温泉等の公衆入浴施設，その他エステサロンやスパ等の健康増進施設等における使用にも適する。
【背景技術】
【０００３】
従来において、斯かる浴湯中の温水に炭酸ガスが溶け込んだ浴用炭酸泉の製造装置に関するものとしては、次の特許文献１〜３に記載のもの等がある。
【先行技術文献】
【特許文献】
【０００４】
【特許文献１】特許公開平５−２３５５９
【特許文献２】特許公開平７−３１３８５５
【特許文献３】特許第４０１４５４６号公報
【発明の概要】
【発明が解決しようとする課題】
【０００５】
上記従来の特許文献１と２の炭酸泉製造装置は、構造上，本発明が課題とする粉末状のアルカリ性成分と粉末状の酸性成分とを浴湯中の温水と水中ポンプと一部分が湯面上他の一部分が湯面下に位置する粉末状成分の溶解タンクとを効率的に利用して，夫々別々に迅速，容易，確実に溶解・攪拌して浴湯中深くにまで落とし込み循環還流・拡散させて，浴湯中で継続的に炭酸ガスを発生させ，高濃度の炭酸ガスを長時間にわたって維持することができるようにしたものとはなっておらず，そのため使用上においても斯かる安定した効果は得られないものであった。  また、浴槽外に配置する高圧炭酸ガスボンベや循環ポンプを用いた温水の循環方式のもの等で構成されているため比較的装置が複雑、大掛かりでコストの点でも高価なものであった。
【０００６】
更に、特許文献３のものは、フマル酸やリンゴ酸の有機酸と炭酸ナトリウム等を含有する固形浴用組成物（炭酸入浴剤）であるが、これらの配合剤をブリケットや錠剤等の固形に成形するために多くの化学物質（薬剤）や接着剤を用いているため、浴湯に投入した際に不溶解物が発生して残留し、浴湯に濁りや湯船にぬめり感がつく等の難点があり、温水中への炭酸ガスの溶解度も優れず、炭酸ガスの発泡粒子も細かくなく、発泡効果の持続時間も比較的短い等の難点があった。
【０００７】
本発明は、斯かる従来の浴用炭酸泉の製造装置や錠剤等の固形入浴剤の有する諸難点を解消し，高濃度の炭酸ガスを継続的に発生させそれを長時間に亘って維持することができる炭酸泉を，比較的に溶解に時間と手間がかかるとされている炭酸ガス発生の原材料となる粉末状成分の浴湯中の温水への溶解・攪拌・拡散と浴湯中の温水の循環還流・拡散の構造とに工夫を凝らすことにより，簡潔な構造で手軽にかつ経済的に製造し並びに使用することができる，浴用炭酸泉の簡易製造装置を提供することを目的とする。
即ち、従来比較的に難しいとされている粉末状のアルカリ性成分と粉末状の酸性成分との浴湯中の温水への溶解・攪拌と循環還流・拡散とを湯船内で夫々別々に迅速，容易，確実になし，もってアルカリ性成分と酸性成分とが浴湯の湯面近くの表層部分で短時間のうちに接触反応して発生した炭酸ガスが外部に飛散してしまうような虞がなく，浴湯中で継続的に炭酸ガスを発生させながら高濃度の炭酸ガスを長時間にわたり安定して維持することができ，更に固形入浴剤の不溶解物の残留による不快な難点も無く，使用上好適である浴用炭酸泉の製造装置を効率良く経済的に提供することを目的とするものである。
【課題を解決するための手段】
【０００８】
本発明は、上記の課題を解決するために、特許請求の範囲の各請求項に記載の次の手段を採っている。
【０００９】
請求項１に係る発明では、浴用炭酸泉の簡易製造装置の構造として、  タンク本体周面に配設の複数の小孔を介して内部に湯船の浴湯を取り入れてその小孔より下方のタンク本体下側部を湯面下方の浴湯中に位置せしめその小孔より上方のタンク本体上側部を湯面上に浮かべる蓋付きの溶解タンクと，その下方に接続して浴湯中に配置されて前記溶解タンク内に取り入れられた湯船の浴湯の吸引又は浴湯の吐出に伴い湯船の浴湯中の温水を循環還流せしめる水中ポンプとからなる，アルカリ性又は酸性の粉末状成分の浴湯中の温水への溶解，攪拌，拡散を図る溶解・攪拌・拡散装置本体を具備してなり、粉末状のアルカリ性成分又は粉末状の酸性成分を金網状ないしメッシュ状の漉し器を介して又は介さずして投入した溶解タンク全体が浴湯中深くに沈められ、その投入された粉末状のアルカリ性成分又は粉末状の酸性成分は湯船の浴湯中の温水を循環還流させる水中ポンプの吸引又は吐出による旋回流ないし噴水流を受けて夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とするものである。
【００１０】
請求項２に係る発明では、浴用炭酸泉の簡易製造装置の構造として、請求項１に記載の浴用炭酸泉の簡易製造装置において、アルカリ性又は酸性の粉末状成分を投入する蓋付きの溶解タンクとして、タンク本体内部に金網状ないしメッシュ状の漉し器を配設し，タンク本体周面に複数の小孔を配設するとともに，タンク本体を棒状ないし紐状の吊り下げ具を介して湯船の縁枠ないし壁面等に吊り下げ配置せしめることにより，前記タンク本体周面に配設した複数の小孔を介してタンク本体内部に湯船の浴湯を取り入れてその小孔より下方のタンク本体下側部を湯面下方の浴湯中に位置せしめその小孔より上方のタンク本体上側部を湯面上に浮かせて溶解タンクを浴湯中で揺動ないし旋回可能となしたものを用い、湯船の浴湯中の温水を循環還流せしめる水中ポンプとして、前記溶解タンクの下方に吸引口を接続して浴湯中に配置されてその溶解タンク内に取り入れられた湯船の浴湯の吸引に伴い湯船の浴湯中の温水を循環還流せしめるものを用いており、粉末状のアルカリ性成分又は粉末状の酸性成分を金網状ないしメッシュ状の漉し器を介して投入した溶解タンク全体が吊り下げ具を外して浴湯中深くに沈められ、その投入された粉末状のアルカリ性成分又は粉末状の酸性成分は水中ポンプの吸引による旋回流を受けて金網状ないしメッシュ状の目の細かい漉し器を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とするものである。
【００１１】
請求項３に係る発明では、浴用炭酸泉の簡易製造装置の構造として、請求項１に記載の浴用炭酸泉の簡易製造装置において、  アルカリ性又は酸性の粉末状成分を投入する蓋付きの溶解タンクとして、タンク本体内部に金網状ないしメッシュ状の漉し器を配設し，タンク本体周面に複数の小孔を配設するとともに，タンク本体周面に配設の複数の小孔より上方のタンク本体上側部周面にタンク本体と一体の円板型等の鍔状の浮き体を付設せしめて溶解タンクの浮き体より上側部分を浴湯の湯面上に浮かせて溶解タンクを浴湯中で揺動ないし旋回可能となすことにより，前記タンク本体周面に配設した複数の小孔を介してタンク本体内部に湯船の浴湯を取り入れてその小孔より下方のタンク本体下側部を湯面下方の浴湯中に位置せしめその小孔より上方のタンク本体上側部を湯面上に浮かべるようになしたものを用い、湯船の浴湯中の温水を循環還流せしめる水中ポンプとして、前記溶解タンクの下方に吸引口を接続して浴湯中に配置されてその溶解タンク本体内に取り入れられた湯船の浴湯の吸引に伴い湯船の浴湯中の温水を循環還流せしめるものを用いており、粉末状のアルカリ性成分又は粉末状の酸性成分を金網状ないしメッシュ状の漉し器を介して投入した溶解タンク全体が一体付設の鍔状の浮き体と共に浴湯中深くに沈められ、その投入された粉末状のアルカリ性成分又は粉末状の酸性成分は水中ポンプの吸引による旋回流を受けて金網状ないしメッシュ状の目の細かい漉し器を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とするものである。
【００１２】
請求項４に係る発明では、浴用炭酸泉の簡易製造装置の構造として、  請求項１に記載の浴用炭酸泉の簡易製造装置において、  アルカリ性又は酸性の粉末状成分を投入する蓋付きの溶解タンクとして、タンク本体内部に金網状ないしメッシュ状の漉し器を配設し，タンク本体周面に複数の小孔を配設するとともに，タンク本体周面に配設の複数の小孔より上方のタンク本体上側部周面に発泡スチロール製等のドーナツ円板型等の浮き体を着脱可能に付設せしめて溶解タンクの浮き体より上側部分を浴湯の湯面上に浮かせて溶解タンクを浴湯中で揺動ないし旋回可能となすことにより，前記タンク本体周面に配設した複数の小孔を介してタンク本体内部に湯船の浴湯を取り入れてその小孔より下方のタンク本体下側部を湯面下方の浴湯中に位置せしめその小孔より上方のタンク本体上側部を湯面上に浮かべるようになしたものを用い、湯船の浴湯中の温水を循環還流せしめる水中ポンプとして、前記溶解タンクの下方に吸引口を接続して浴湯中に配置されてその溶解タンク本体内に取り入れられた湯船の浴湯の吸引に伴い湯船の浴湯中の温水を循環還流せしめるものを用いており、粉末状のアルカリ性成分又は粉末状の酸性成分を金網状ないしメッシュ状の漉し器を介して投入した溶解タンク全体が浮き体を取り外して浴湯中深くに沈められ、その投入された粉末状のアルカリ性成分又は粉末状の酸性成分は水中ポンプの吸引による旋回流を受けて金網状ないしメッシュ状の目の細かい漉し器を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とするものである。
【００１３】
請求項５に係る発明では、浴用炭酸泉の簡易製造装置の構造として、請求項１に記載の浴用炭酸泉の簡易製造装置において、  アルカリ性又は酸性の粉末状成分を投入する蓋付きの溶解タンクとして、タンク本体を目の細かい多数の小孔を有する金網状ないしメッシュ状の漉し器と同様のもので形成し，タンク本体を棒状ないし紐状の吊り下げ具を介して湯船の縁枠ないし壁面等に吊り下げ配置せしめることにより，前記タンク本体周面に有する多数の小孔を介してタンク本体内部に程よく湯船の浴湯を取り入れてタンク本体下側部を湯面下方の浴湯中に位置せしめタンク本体上側部を湯面上に浮かせて溶解タンクを浴湯中で揺動ないし旋回可能となしたものを用い、湯船の浴湯中の温水を循環還流せしめる水中ポンプとして、前記溶解タンクの下方に吸引口を接続して浴湯中に配置されてその溶解タンク内に取り入れられた湯船の浴湯の吸引に伴い湯船の浴湯中の温水を循環還流せしめるものを用いており、粉末状のアルカリ性成分又は粉末状の酸性成分を投入した金網状ないしメッシュ状の漉し器と同様のもので形成された溶解タンク全体が吊り下げ具を外して浴湯中深くに沈められ、その投入された粉末状のアルカリ性成分又は粉末状の酸性成分は水中ポンプの吸引による旋回流を受けて金網状ないしメッシュ状の目の細かい漉し器と同様のもので形成されたタンク本体の周壁面を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とするものである。
【００１４】
請求項６に係る発明では、浴用炭酸泉の簡易製造装置の構造として、請求項１に記載の浴用炭酸泉の簡易製造装置において、  アルカリ性又は酸性の粉末状成分を投入する蓋付きの溶解タンクとして、タンク本体を目の細かい多数の小孔を有する金網状ないしメッシュ状の漉し器と同様のもので形成し，タンク本体上側部周面にタンク本体と一体の円板型等の鍔状の浮き体を付設せしめて溶解タンクの浮き体より上側部分を浴湯の湯面上に浮かせて溶解タンクを浴湯中で揺動ないし旋回可能となすことにより，前記タンク本体周面に有する多数の小孔を介してタンク本体内部に程よく湯船の浴湯を取り入れてタンク本体下側部を湯面下方の浴湯中に位置せしめタンク本体上側部を湯面上に浮かべるようになしたものを用い、湯船の浴湯中の温水を循環還流せしめる水中ポンプとして、前記溶解タンクの下方に吸引口を接続して浴湯中に配置されてその溶解タンク内に取り入れられた湯船の浴湯の吸引に伴い湯船の浴湯中の温水を循環還流せしめるものを用いており、粉末状のアルカリ性成分又は粉末状の酸性成分を投入した金網状ないしメッシュ状の漉し器と同様のもので形成された溶解タンク全体が一体付設の鍔状の浮き体と共に浴湯中深くに沈められ、その投入された粉末状のアルカリ性成分又は粉末状の酸性成分は水中ポンプの吸引による旋回流を受けて金網状ないしメッシュ状の目の細かい漉し器と同様のもので形成されたタンク本体の周壁面を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とするものである。
【００１５】
請求項７に係る発明では、浴用炭酸泉の簡易製造装置の構造として、請求項１に記載の浴用炭酸泉の簡易製造装置において、  アルカリ性又は酸性の粉末状成分を投入する蓋付きの溶解タンクとして、タンク本体を目の細かい多数の小孔を有する金網状ないしメッシュ状の漉し器と同様のもので形成し，タンク本体上側部周面に発泡スチロール製等のドーナツ円板型等の浮き体を着脱可能に付設せしめて溶解タンクの浮き体より上側部分を浴湯の湯面上に浮かせて溶解タンクを浴湯中で揺動ないし旋回可能となすことにより，前記タンク本体周面に有する多数の小孔を介してタンク本体内部に程よく湯船の浴湯を取り入れてタンク本体下側部を湯面下方の浴湯中に位置せしめタンク本体上側部を湯面上に浮かべるようになしたものを用い、湯船の浴湯中の温水を循環還流せしめる水中ポンプとして、前記溶解タンクの下方に吸引口を接続して浴湯中に配置されてその溶解タンク内に取り入れられた湯船の浴湯の吸引に伴い湯船の浴湯中の温水を循環還流せしめるものを用いており、粉末状のアルカリ性成分又は粉末状の酸性成分を投入した金網状ないしメッシュ状の漉し器と同様のもので形成された溶解タンク全体が浮き体を取り外して浴湯中深くに沈められ、その投入された粉末状のアルカリ性成分又は粉末状の酸性成分は水中ポンプの吸引による旋回流を受けて金網状又はメッシュ状の目の細かい漉し器と同様のもので形成されたタンク本体の周壁面を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とするものである。
【００１６】
請求項８に係る発明では、浴用炭酸泉の簡易製造装置の構造として、請求項５、請求項６又は請求項７に記載の浴用炭酸泉の簡易製造装置において、  タンク本体を目の細かい多数の小孔を有する金網状ないしメッシュ状の漉し器と同様のもので形成した溶解タンクのタンク本体内部に，金網状ないしメッシュ状の漉し器を配設したことを特徴とするものである。
【００１７】
請求項９に係る発明では、浴用炭酸泉の簡易製造装置の構造として、請求項１、請求項２、請求項３、請求項４、請求項５、請求項６、請求項７又は請求項８に記載の浴用炭酸泉の簡易製造装置において、  湯船の浴湯中の温水を循環還流せしめる水中ポンプとして、粉末状のアルカリ性成分又は酸性成分を投入する溶解タンクの下方に吐出口を接続して浴湯中に配置されてその溶解タンク内に取り入れられた湯船の浴湯の吐出に伴い湯船の浴湯中の温水を循環還流せしめるものを用いており、粉末状のアルカリ性成分又は粉末状の酸性成分を投入した溶解タンク全体が浴湯中深くに沈められ、その投入された粉末状のアルカリ性成分又は粉末状の酸性成分は水中ポンプの吐出による噴水流を受けて溶解タンクを通して夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とするものである。
【００１８】
請求項１０に係る発明では、浴用炭酸泉の簡易製造装置の構造として、  タンク本体に有する目の細かい多数の小孔を介して湯船の浴湯中の温水を取り入れ，アルカリ性又は酸性の粉末状成分を投入してその溶解を図る蓋付きの溶解タンクと，浴湯中に配置されて前記溶解タンク内に取り入れられてくる湯船の浴湯の吸引又は吐出に伴って湯船の浴湯中の温水を循環還流せしめる水中ポンプとからなる，アルカリ性又は酸性の粉末状成分の浴湯中の温水への溶解，攪拌，拡散を図る溶解・攪拌・拡散装置本体を具備してなり、その粉末状のアルカリ性成分又は酸性成分を投入した金網状ないしメッシュ状の漉し器と同様のもので形成された溶解タンク全体が浴湯中深くに沈められて，湯船の底面上に置かれている水中ポンプの吸引口又は吐出口近くに隣接配置され、その投入された粉末状のアルカリ性成分又は酸性成分は水中ポンプの吸引による旋回流又は吐出による噴水流を受けて金網状又はメッシュ状の漉し器と同様のもので形成された目の細かいタンク本体の周壁面を通過せしめられて夫々別々に迅速，容易，確実に溶解・攪拌されるとともに，効率良く湯船の浴湯中深くにおいて溶液状となって導出され浴湯中で繰り返し循環還流・拡散されて緩やかに接触し，もって浴湯中で継続的に炭酸ガスを発生させ高濃度の炭酸ガスを長時間にわたり安定して維持させるようになしたことを特徴とするものである。
【００１９】
請求項１１に係る発明では、浴用炭酸泉の簡易製造装置の構造として、請求項１０に記載の浴用炭酸泉の簡易製造装置において、  湯船の浴湯中の温水を取り入れるべくタンク本体を目の細かい多数の小孔を有する金網状ないしメッシュ状の漉し器と同様のもので形成し，アルカリ性又は酸性の粉末状成分を投入する蓋付きの溶解タンクのタンク本体内部に，金網状ないしメッシュ状の漉し器を配設したことを特徴とするものである。
【００２０】
請求項１２に係る発明では、浴用炭酸泉の簡易製造装置の構造として、請求項１、請求項２、請求項３、請求項４、請求項８、請求項９、又は請求項１１に記載の浴用炭酸泉の簡易製造装置において、  下方の水中ポンプによる溶解タンク内に取り入れられた湯船の浴湯の吸引に伴う旋回流ないし吐出に伴う噴水流と相まって粉末状のアルカリ性成分又は粉末状の酸性成分の溶解・攪拌を図るべく溶解タンク内に配設された目の細かい金網状ないしメッシュ状の漉し器の形状を，下方に向けて深くＵ字形に湾曲するＵ字型形状もしくは上方に向けて浅く逆Ｕ字形に湾曲するフラットな皿型形状となしたことを特徴とするものである。
【００２１】
請求項１３に係る発明では、浴用炭酸泉の簡易製造装置の構造として、請求項１、請求項２、請求項３、請求項４、請求項５、請求項６、請求項７、請求項８、請求項９、請求項１０、請求項１１又は請求項１２に記載の浴用炭酸泉の簡易製造装置において、  粉末状のアルカリ性成分又は粉末状の酸性成分の溶解タンク内周面にメッシュないしブラシ状のマットを張り巡らして，浴湯中の水中ポンプによる溶解タンク内に取り入れられた湯船の浴湯の吸引に伴う旋回流ないし吐出に伴う噴水流を受けて溶解・攪拌される粉末状のアルカリ性成分又は粉末状の酸性成分を前記メッシュないしブラシ状のマットの絡みつく繊維内へ押し込み通過させることにより，粉末状のアルカリ性成分又は粉末状の酸性成分の浴湯の温水中への溶解度を高めるようになしたことを特徴とするものである。
【００２２】
請求項１４に係る発明では、浴用炭酸泉の簡易製造装置の構造として、請求項１、請求項２、請求項３、請求項４、請求項５、請求項６、請求項７、請求項８、請求項９、請求項１０、請求項１１、請求項１２又は請求項１３に記載の浴用炭酸泉の簡易製造装置において、  タンク本体周面に配設の複数ないし多数の小孔を介して内部に湯船の浴湯を取り入れ粉末状のアルカリ性成分又は粉末状の酸性成分を投入する蓋付きの溶解タンクと，その下方の浴湯中に配置され湯船の浴湯中の温水を循環還流せしめる水中ポンプとからなり、溶解タンク内に投入された粉末状のアルカリ性成分又は粉末状の酸性成分を溶解タンク内に取り入れられてくる浴湯中の温水の水中ポンプによる吸引又は吐出に伴う旋回流又は噴水流により夫々別々に浴湯への溶解・攪拌・拡散を図る溶解・攪拌・拡散装置本体を具備してなり、このアルカリ性成分又は酸性成分の粉末状成分の浴湯への溶解・攪拌・拡散装置本体一対を湯船の両側端部又は偶角部に対向離隔して配置し，その粉末状成分の浴湯への溶解・攪拌・拡散装置本体の一方をアルカリ性成分用，他方を酸性成分用となしたことを特徴とするものである。
【００２３】
請求項１５に係る発明では、浴用炭酸泉の簡易製造装置の構造として、請求項１、請求項２、請求項３、請求項４、請求項５、請求項６、請求項７、請求項８、請求項９、請求項１０、請求項１１、請求項１２又は請求項１３に記載の浴用炭酸泉の簡易製造装置において、  タンク本体周面に配設の複数ないし多数の小孔を介して内部に湯船の浴湯を取り入れ粉末状のアルカリ性成分又は粉末状の酸性成分を投入する蓋付きの溶解タンクと，その下方の浴湯中に配置され湯船の浴湯中の温水を循環還流せしめる水中ポンプとからなり、溶解タンク内に投入された粉末状のアルカリ性成分又は粉末状の酸性成分を溶解タンク内に取り入れられてくる浴湯中の温水の水中ポンプによる吸引又は吐出に伴う旋回流又は噴水流により夫々別々に浴湯への溶解・攪拌・拡散を図る溶解・攪拌・拡散装置本体を具備してなり、このアルカリ性成分又は酸性成分の粉末状成分の浴湯への溶解・攪拌・拡散装置本体を湯船の四隅に対向離隔して配置し，この四隅に対向する粉末状成分の浴湯への溶解・攪拌・拡散装置本体を四隅交互にアルカリ性成分用と酸性成分用とに振り分けけたことを特徴とするものである。
【００２４】
請求項１６に係る発明では、浴用炭酸泉の簡易製造装置の構造として、請求項１、請求項２、請求項３、請求項４、請求項５、請求項６、請求項７、請求項８、請求項９、請求項１０、請求項１１、請求項１２、請求項１３、請求項１４又は請求項１５に記載の浴用炭酸泉の簡易製造装置において、  粉末状のアルカリ性成分として重曹（炭酸水素ナトリウム），炭酸ナトリウム等のアルカリを用い，粉末状の酸性成分としてクエン酸，コハク酸等の酸を用いたことを特徴とするものである。
【発明の効果】
【００２５】
本発明は、上記の構成を採ったので、上記従来の浴用炭酸泉の製造装置や錠剤等の固形入浴剤の有する諸難点を解消し，高濃度の炭酸ガスを継続的に発生させそれを長時間に亘って安定して維持させることができる炭酸泉を，炭酸ガス発生の原材料となる粉末状成分の浴湯中の温水への溶解・攪拌操作と浴湯中の温水の循環還流・拡散の構造とに工夫を凝らすことにより簡潔な構成で手軽にかつ効率良く経済的に製造し並びに使用することができる，浴用炭酸泉の簡易製造装置を提供することを可能となした。
即ち、従来比較的に時間と手間がかかり難しいとされている粉末状のアルカリ性成分と粉末状の酸性成分との浴湯中の温水への溶解・攪拌と循環還流・拡散とを湯船内で夫々別々に迅速，容易，確実に効率良くなし，もってその粉末状のアルカリ性成分と酸性成分とが浴湯の湯面近くの表層部分で短時間のうちに接触反応して発生した炭酸ガスが外部に飛散してしまうというような虞がなく，浴湯中で継続的に炭酸ガスを発生させながら高濃度の炭酸ガスを長時間にわたり安定して維持させることができ，更に固形入浴剤の不溶解物の残留による不快な難点も無く，使用上好適である浴用炭酸泉の製造装置を迅速，容易，確実に効率良く経済的に提供することを可能となしたものである。
【００２６】
請求項１に係る発明においては、浴湯中の温水はタンク本体周面に配設の複数の小孔より溶解タンク内に取り入れられてくるので、粉末状のアルカリ性成分又は粉末状の酸性成分を投入した蓋付きの溶解タンクは、その小孔より下方のタンク下側部が湯船の湯面下方の浴湯中に沈んで位置し，その小孔より上方のタンク上側部が湯面上に浮かんで位置する状態で或いは溶解タンク全体が浴湯中深くに沈んだ状態で用いられる。  そしてその溶解タンク内に導入された浴湯中の温水は、溶解タンク下方に接続されて浴湯中に位置する水中ポンプによる吸引又は吐出に伴う旋回流ないし噴水流により浴湯中深くにまで導出されるので，浴湯中の温水は水中ポンプの作動により溶解タンク内に順次連続して導入されて湯船内で循環還流・拡散される。
そして前記溶解タンク内に導入された浴湯中および溶解タンク内の目の細かい金網状ないしメッシュ状の漉し器内面上に向けて或いは目の細かい金網状ないしメッシュ状に形成された溶解タンク内周面に向けて粉末状のアルカリ性成分又は粉末状の酸性成分を投入すると、その粉末状の成分は前記下方の浴湯中に位置する水中ポンプによる溶解タンク内に導入された湯船の浴湯の吸引に伴う旋回流又は湯船の浴湯の吐出に伴う噴水流を受けて温水とともに目の細かい金網状ないしメッシュ状の漉し器あるいは溶解タンク周壁面を通過せしめられ夫々別々に溶解・攪拌・漉しとられて水中ポンプに吸引旋回又は水中ポンプにより噴水吐出される。  水中ポンプに向かって吸引された粉末状の成分と温水は水中ポンプの吸引用の回転羽根の高速回転に伴い更に溶解・攪拌が促されて或いは水中ポンプから吐出される噴水流に押し出されて更に溶解・攪拌が促されて，水中ポンプの吐出口より或いは溶解タンク周壁面より湯船の浴湯中深くにまで導出され，その夫々別々に溶液状となって導出された粉末状のアルカリ性成分と酸性成分とは前記溶解タンクと水中ポンプとを介した浴湯中の温水の循環還流により湯船の浴湯中で緩やかに繰り返し循環拡散されて接触し，浴湯中に炭酸ガスが継続して発生され安定して高濃度の炭酸ガス維持されるようになり、両粉末状成分が浴湯の表層面近くで短時間のうちに接触反応して炭酸ガスが発生し外部へ放散されてしまうような虞はない。
【００２７】
この場合には、溶解タンク内に取り入れられた浴湯中の温水の吸い込み型或いは押し込み型水中ポンプと金網状ないしメッシュ状の漉し器付き或いは漉し器なしの溶解タンクとからなる粉末状成分の溶解・攪拌・拡散装置本体は単一のものが湯船で用いられるものであるが、湯面上にタンク上側部が浮く溶解タンク内への粉末状成分の投入は，先ず最初に粉末状のアルカリ性成分を投入してそれが水中ポンプからの吸引又は吐出に伴う溶解タンクに導入された温水の旋回流又は噴水流によって金網状の漉し器ないし溶解タンク周壁面を通過せしめられ溶解・攪拌・漉しとられて水中ポンプ吐出口より或いは溶解タンク周壁面より浴湯中深くにまで導出され或いは浴湯中深くにまで沈められ，浴湯中にその粉末状の成分が確実に均一に溶解・攪拌される。  その粉末状のアルカリ性成分の浴湯中への溶解・攪拌・濾過（漉しとられ）が確実に均一になされるのを待って，次に，溶解タンク内に粉末状の酸性成分を投入し，時間差をおいて同様の操作によりその粉末状成分の溶解・攪拌・濾過（漉しとられ）と浴湯中深くにまでの導出ないし浸透を通して浴湯中への確実に均一な溶解・攪拌・拡散を図る。
従って，粉末状のアルカリ性成分と粉末状の酸性成分とは一つの粉末状成分の溶解・攪拌・拡散装置本体を用い，時間差をもって夫々別々に溶解・攪拌・拡散されるので，装置本体内，湯面近くの湯船の表層部分付近で同時に或いは短時間のうちに接触混合されて溶解・攪拌されることはなく、瞬時に炭酸ガスが発生して外部に放散されてしまうような不都合はない。
【００２８】
そして，溶解タンクと水中ポンプとを介して夫々別々に溶解・攪拌されて浴湯中深くにまで導出され或いは浴湯中深くにまで沈められ，浴湯中に夫々別々に確実に均一に溶解・攪拌されて溶液状となった粉末状のアルカリ性成分と粉末状の酸性成分とは、水中ポンプと溶解タンクを介した温水の循環還流作用により浴湯中で緩やかに繰り返し循環拡散されている間に接触反応し，浴湯中に炭酸ガスが継続して発生されるようになる。  従って，アルカリ性成分と酸性成分とが短時のうちに浴湯の表層面近くで接触反応して炭酸ガスが発生し外部に飛散されてしまうなどという虞はない。
また前記溶解タンクと水中ポンプとを介した粉末状のアルカリ性成分と粉末状の酸性成分との夫々別々の溶解・攪拌・拡散と浴湯中への導出ないし沈め込み操作とそれを通した浴湯中への粉末状成分の確実かつ均一な溶解・攪拌作用は連続的に行うことが可能であるから、浴湯中に継続して炭酸ガスが発生されるとともに，その発生する炭酸ガスの濃度も長時間に亘って高濃度に安定して維持させることができる。
【００２９】
従来においてとりわけ難しく時間がかかるとされていた粉末状の重曹（炭酸水素ナトリウム）や炭酸ナトリウム等のアルカリ性成分の浴湯中での溶解・攪拌操作を粉末状のままで，浴湯中の温水と水中ポンプによる溶解タンク内に導入された浴湯中の温水の吸引に伴う旋回流ないし吐出に伴う噴水流と目の細かい金網状ないしメッシュ状の漉し器を付設した或いはタンク本体周壁面を目の細かい金網状ないしメッシュ状に形成した粉末状成分の溶解タンクとを介して得られる浴湯中の温水の循環還流作用と溶解・攪拌・濾過（漉しとられ）・拡散作用とを合理的に利用することによって，迅速，容易，確実に行うことを可能となした。
【００３０】
浴湯中で炭酸ガスを継続的に発生させ，その炭酸ガス濃度を長時間にわたり安定して高濃度に維持し得る炭酸泉となすために，粉末状のアルカリ性成分と酸性成分とを予め手間がかかる水溶液化して大容量で重量の重い水溶液タンク内に収容して用意したり，大規模で重量の重い炭酸ガスボンベを浴槽外に用意する必要がなく、単に小容量で軽量の粉末状成分を袋詰めしたパックを用意し，一部を湯面上に浮かべて或いは全部を湯面下に沈めて用い内部に浴湯中の温水を導入し粉末状のアルカリ性成分又は酸性成分を投入する蓋付きの溶解タンクと，溶解タンクの下方に接続し浴湯中に位置し湯船の浴湯中の温水の循環還流を図る水中ポンプとからなり湯船内に配置する小型軽量で構造簡潔な粉末状成分の溶解・攪拌・拡散装置本体を用意するのみで済むから、製造上，保管上，運搬上，使用上において利便性が高く好適であり、経済的にも低廉に求め得られて好適である。
【００３１】
また上記従来の固形炭酸入浴剤と異なり炭酸ガス発生に用いる材料はクエン酸、コハク酸等の酸と重曹（炭酸水素ナトリウム）、炭酸ナトリウム等のアルカリを使用しているものであり、固形に成形するための多くの化学薬剤や接着剤等を用いていないものであるから、浴槽に不溶解の残留物が残るなどという不都合もない。
【００３２】
以上のとおり，本発明に係る浴用炭酸泉の簡易製造装置は，簡潔な構造で手軽に効率良く使用することができ，継続して炭酸ガスを安定して発生させることができ，かつ，発生する炭酸ガスの濃度を高濃度に長時間にわたって安定して維持させることができるので、一般家庭での浴槽において手軽に安心して用いることができることはもとより、公衆浴場やホテル，温泉等の公衆入浴施設，その他エステサロンやスパ等の健康増進施設等における業務上の使用にも好適である。
【００３３】
請求項２に係る発明においては、粉末状のアルカリ性成分又は粉末状の酸性成分を投入し溶解・攪拌を図る蓋付きの溶解タンクの湯船の湯面に対する位置決め姿勢として、タンク本体周面に配設の複数の小孔を介して内部に湯船の浴湯を取り入れてその小孔より下方のタンク本体下側部を湯面下方の浴湯中に位置せしめその小孔より上方のタンク本体上側部を湯面上に位置せしめて用いるべく、溶解タンク本体を棒状ないし紐状の吊り下げ具を介して湯船の縁枠ないし壁面等に吊り下げ配置せしめるようになして溶解タンクを浴湯中で揺動ないし旋回可能となしたので、この湯船の浴湯中にゆらゆらと浮かぶ溶解タンクの揺動ないし旋回作用によって，各粉末状成分の浴湯中の温水への溶解・攪拌能率の高揚と溶解度の高揚を図ることができる。
粉末状のアルカリ性成分又は粉末状の酸性成分を金網状ないしメッシュ状の漉し器を介して投入した後，溶解タンク全体が吊り下げ具を外して浴湯中深くに沈められ、その投入された粉末状のアルカリ性成分又は粉末状の酸性成分は水中ポンプの吸引による旋回流を受けて金網状ないしメッシュ状の目の細かい漉し器を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができる。
【００３４】
請求項３に係る発明においては、粉末状のアルカリ性成分又は粉末状の酸性成分を投入し溶解・攪拌を図る蓋付きの溶解タンクの湯船の湯面に対する位置決め姿勢として、タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用いるべく、タンク周面に配設の複数の小孔より上方のタンク上側部周面にタンクと一体の円板型等鍔状の浮き体を付設せしめて溶解タンクの浮き体より上側部分を浴湯の湯面上に浮かせて溶解タンクを浴湯中で揺動ないし旋回可能となしたので、この湯船の浴湯中にゆらゆらと浮かぶ溶解タンクの揺動ないし旋回作用によって，各粉末状成分の浴湯中の温水への溶解・攪拌能率の高揚と溶解度の高揚を図ることができる。
粉末状のアルカリ性成分又は粉末状の酸性成分を金網状ないしメッシュ状の漉し器を介して投入した後，溶解タンク全体が一体付設の鍔状の浮き体と共に浴湯中深くに沈められ、その投入された粉末状のアルカリ性成分又は粉末状の酸性成分は水中ポンプの吸引による旋回流を受けて金網状ないしメッシュ状の目の細かい漉し器を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができる。
【００３５】
請求項４に係る発明においては、粉末状のアルカリ性成分又は粉末状の酸性成分を投入し溶解・攪拌を図る蓋付きの溶解タンクの湯船の湯面に対する位置決め姿勢として、タンク周面に配設の複数の小孔を介して内部に湯船の浴湯を取り入れてその小孔より下方のタンク下側部を湯面下方の浴湯中に位置せしめ，その小孔より上方のタンク上側部を湯面上に位置せしめて用いるべく、タンク周面に配設の複数の小孔より上方のタンク上側部周面に発泡スチロール製等のドーナツ円板型等の浮き体を付設せしめて溶解タンクの浮き体より上側部分を浴湯の湯面上に浮かせて溶解タンクを揺動ないし旋回可能となしたので、同じくこの湯船の浴湯中にゆらゆらと浮かぶ溶解タンクの揺動ないし旋回作用によって，各粉末状成分の浴湯中の温水への溶解・攪拌能率の高揚と溶解度の高揚を図ることができる。
粉末状のアルカリ性成分又は粉末状の酸性成分を金網状ないしメッシュ状の漉し器を介して投入した後，溶解タンク全体が浮き体を取り外して浴湯中深くに沈められ、その投入された粉末状のアルカリ性成分又は粉末状の酸性成分は水中ポンプの吸引による旋回流を受けて金網状ないしメッシュ状の目の細かい漉し器を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができる。
【００３６】
請求項５に係る発明においては、アルカリ性又は酸性の粉末状成分を投入する蓋付きの溶解タンクとして、タンク本体を目の細かい多数の小孔を有する金網状ないしメッシュ状の漉し器と同様のもので形成し，タンク本体を棒状ないし紐状の吊り下げ具を介して湯船の縁枠ないし壁面等に吊り下げ配置せしめることにより，前記タンク本体周面に有する多数の小孔を介してタンク本体内部に程よく湯船の浴湯を取り入れてタンク本体下側部を湯面下方の浴湯中に位置せしめタンク本体上側部を湯面上に浮かせて溶解タンクを浴湯中で揺動ないし旋回可能となしたので、同じくこの湯船にゆらゆらと浮かぶ溶解タンクの揺動ないし旋回作用によって，各粉末状成分の温水中への溶解・攪拌能率の高揚と溶解度の高揚を図ることができる。
粉末状のアルカリ性成分又は粉末状の酸性成分を投入した後，金網状ないしメッシュ状の漉し器と同様のもので形成された溶解タンク全体が吊り下げ具を外して浴湯中深くに沈められ、その投入された粉末状のアルカリ性成分又は粉末状の酸性成分は水中ポンプの吸引による旋回流を受けて金網状ないしメッシュ状の目の細かい漉し器と同様のもので形成されたタンク本体の周壁面を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができる。
【００３７】
請求項６に係る発明においては、アルカリ性又は酸性の粉末状成分を投入する蓋付きの溶解タンクとして、タンク本体を目の細かい多数の小孔を有する金網状ないしメッシュ状の漉し器と同様のもので形成し，タンク本体上側部周面にタンク本体と一体の円板型等の鍔状の浮き体を付設せしめて溶解タンクの浮き体より上側部分を浴湯の湯面上に浮かせて溶解タンクを浴湯中で揺動ないし旋回可能となすことにより，前記タンク本体周面に有する多数の小孔を介してタンク本体内部に程よく湯船の浴湯を取り入れてタンク本体下側部を湯面下方の浴湯中に位置せしめタンク本体上側部を湯面上に浮かべるようになしたので、同じくこの湯船にゆらゆらと浮かぶ溶解タンクの揺動ないし旋回作用によって，各粉末状成分の温水中への溶解・攪拌能率の高揚と溶解度の高揚を図ることができる。
粉末状のアルカリ性成分又は粉末状の酸性成分を投入した金網状ないしメッシュ状の漉し器と同様のもので形成された溶解タンク全体が一体付設の鍔状の浮き体と共に浴湯中深くに沈められ、その投入された粉末状のアルカリ性成分又は粉末状の酸性成分は水中ポンプの吸引による旋回流を受けて金網状ないしメッシュ状の目の細かい漉し器と同様のもので形成されたタンク本体の周壁面を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができる。
【００３８】
請求項７に係る発明においては、アルカリ性又は酸性の粉末状成分を投入する蓋付きの溶解タンクとして、タンク本体を目の細かい多数の小孔を有する金網状ないしメッシュ状の漉し器と同様のもので形成し，タンク本体上側部周面に発泡スチロール製等のドーナツ円板型等の浮き体を着脱可能に付設せしめて溶解タンクの浮き体より上側部分を浴湯の湯面上に浮かせて溶解タンクを浴湯中で揺動ないし旋回可能となすことにより，前記タンク本体周面に有する多数の小孔を介してタンク本体内部に程よく湯船の浴湯を取り入れてタンク本体下側部を湯面下方の浴湯中に位置せしめタンク本体上側部を湯面上に浮かべるようになしたので、同じくこの湯船にゆらゆらと浮かぶ溶解タンクの揺動ないし旋回作用によって，各粉末状成分の温水中への溶解・攪拌能率の高揚と溶解度の高揚を図ることができる。
粉末状のアルカリ性成分又は粉末状の酸性成分を投入した金網状ないしメッシュ状の漉し器と同様のもので形成された溶解タンク全体が浮き体を取り外して浴湯中深くに沈められ、その投入された粉末状のアルカリ性成分又は粉末状の酸性成分は水中ポンプの吸引による旋回流を受けて金網状又はメッシュ状の目の細かい漉し器と同様のもので形成されたタンク本体の周壁面を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができる。
【００３９】
請求項８に係る発明においては、タンク本体を目の細かい多数の小孔を有する金網状ないしメッシュ状の漉し器と同様のもので形成した溶解タンクのタンク本体内部に，更に目の細かい金網状ないしメッシュ状の漉し器を配設したので、投入された粉末状のアルカリ性成分又は粉末状の酸性成分の浴湯の温水中への溶解・攪拌能率の高揚と溶解度の高揚を一層図ることができる。
【００４０】
請求項９に係る発明においては、湯船の浴湯中の温水を循環還流せしめる水中ポンプとして、粉末状のアルカリ性成分又は酸性成分を投入する溶解タンクの下方に吐出口を接続して浴湯中に配置されてその溶解タンク内に取り入れられた湯船の浴湯の吐出に伴う噴水流を介して湯船の浴湯中の温水を循環還流せしめるものを用いているものであるが、この場合においても、溶解タンクの下方に吸引口を接続して浴湯中に配置されてその溶解タンク内に取り入れられた湯船の浴湯の吸引に伴う旋回流を介して湯船の浴湯中の温水を循環還流せしめる場合と同様に、投入された粉末状のアルカリ性成分又は粉末状の酸性成分の浴湯中の温水への溶解・攪拌を迅速，容易，確実に効率良く行うことができる。
そして更に、粉末状のアルカリ性成分又は粉末状の酸性成分を投入した溶解タンク全体が浴湯中深くに沈められ、その投入された粉末状のアルカリ性成分又は粉末状の酸性成分は水中ポンプの吐出による噴水流を受けて溶解タンクを通して夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができる。
【００４１】
請求項１０に係る発明においては、粉末状のアルカリ性成分又は粉末状の酸性成分を投入する蓋付きの溶解タンクと湯船の浴湯中の温水を循環還流せしめる水中ポンプとを接続せずに浴湯中深くに沈めて近接配置して用いることによりその各粉末状成分の浴湯中の温水への別々の溶解・攪拌・拡散を迅速，容易，確実に図るようになしたものである。
即ちこの場合には、タンク本体に有する目の細かい多数の小孔を介して湯船の浴湯中の温水を取り入れ，アルカリ性又は酸性の粉末状成分を投入してその溶解を図る蓋付きの溶解タンクと，この溶解タンクに接続されずに浴湯中に配置されて前記溶解タンク内に取り入れられてくる湯船の浴湯の吸引又は吐出に伴って湯船の浴湯中の温水を循環還流せしめる水中ポンプとからなる，アルカリ性又は酸性の粉末状成分の浴湯中の温水への溶解，攪拌，拡散を図る溶解・攪拌・拡散装置本体を具備してなるものである。
そして、その粉末状のアルカリ性成分又は酸性成分を投入した金網状ないしメッシュ状の漉し器と同様のもので形成された溶解タンク全体が浴湯中深くに沈められて，予め湯船の底面上に置かれている水中ポンプの吸引口又は吐出口近くに隣接配置され、その投入された粉末状のアルカリ性成分又は酸性成分は水中ポンプの吸引による旋回流又は吐出による噴水流を受けて金網状又はメッシュ状の漉し器と同様のもので形成された目の細かいタンク本体の周壁面を通過せしめられて夫々別々に迅速，容易，確実に溶解・攪拌されるとともに，効率良く湯船の浴湯中深くにおいて溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができるものである。
【００４２】
請求項１１に係る発明においては、湯船の浴湯中の温水を取り入れるべくタンク本体を目の細かい多数の小孔を有する金網状ないしメッシュ状の漉し器と同様のもので形成し，アルカリ性又は酸性の粉末状成分を投入する蓋付きの溶解タンクのタンク本体内部に，金網状ないしメッシュ状の漉し器を配設したので、その粉末状のアルカリ性成分又は酸性成分を投入した金網状ないしメッシュ状の漉し器と同様のもので形成された溶解タンク全体が浴湯中深くに沈められて，湯船の底面上に置かれている水中ポンプの吸引口又は吐出口近くに隣接配置され、その投入された粉末状のアルカリ性成分又は酸性成分は水中ポンプの吸引による旋回流又は吐出による噴水流を受けて金網状又はメッシュ状の漉し器と同様のもので形成された目の細かいタンク本体の周壁面のみならず金網状又はメッシュ状の目の細かい漉し器をも通過せしめられるので、粉末状の成分は一層夫々別々に迅速，容易，確実に溶解・攪拌されるとともに，効率良く湯船の浴湯中深くにおいて溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができることができる。
【００４３】
請求項１２に係る発明においては、下方の水中ポンプによる溶解タンク内に取り入れられた湯船の浴湯の吸引に伴う旋回流ないし吐出に伴う噴水流と相まって粉末状のアルカリ性成分又は粉末状の酸性成分の溶解・攪拌を図るべく溶解タンク内に配設された目の細かい金網状ないしメッシュ状の漉し器の形状を，下方に向けて深くＵ字形に湾曲するＵ字型形状もしくは上方に向けて浅く逆Ｕ字形に湾曲するフラットな皿型形状となしたものであるが、これによって各粉末状成分の浴湯中の温水への溶解・攪拌を効率的に行うことができる。
【００４４】
請求項１３に係る発明においては、粉末状のアルカリ性成分又は粉末状の酸性成分の溶解タンク内周面にメッシュないしブラシ状のマットを張り巡らして，浴湯中の水中ポンプによる溶解タンク内に取り入れられた湯船の浴湯の吸引に伴う旋回流ないし吐出に伴う噴水流を受けて溶解・攪拌される粉末状のアルカリ性成分又は粉末状の酸性成分を前記メッシュないしブラシ状のマットの絡みつく繊維内へ押し込み通過させることにより，各粉末状のアルカリ性成分又は粉末状の酸性成分の浴湯中の温水への溶解・攪拌能率を高め，各粉末状成分の浴湯中の温水への溶解度を高揚化を一層図ることができる。
【００４５】
請求項１４に係る発明においては、タンク本体周面に配設の複数ないし多数の小孔を介して内部に湯船の浴湯を取り入れ粉末状のアルカリ性成分又は粉末状の酸性成分を投入する蓋付きの溶解タンクと，その下方の浴湯中に配置され湯船の浴湯中の温水を循環還流せしめる水中ポンプとからなり、溶解タンク内に投入された粉末状のアルカリ性成分又は粉末状の酸性成分を溶解タンク内に取り入れられてくる浴湯中の温水の水中ポンプによる吸引又は吐出に伴う旋回流又は噴水流により夫々別々に浴湯への溶解・攪拌・拡散を図る溶解・攪拌・拡散装置本体を具備してなり、このアルカリ性成分又は酸性成分の粉末状成分の浴湯への溶解・攪拌・拡散装置本体一対を湯船の両側端部又は偶角部に対向離隔して配置し，その粉末状成分の浴湯への溶解・攪拌・拡散装置本体の一方をアルカリ性成分用，他方を酸性成分用となしたので、次の効果を奏する。
即ち、粉末状のアルカリ性成分と粉末状の酸性成分とを夫々溶解タンクに投入した一対の溶解・攪拌・拡散装置本体全体が浴湯中深くに沈められると、その投入された粉末状のアルカリ性成分と粉末状の酸性成分とは前記対向離隔して配置された一方の溶解・攪拌・拡散装置本体と他方の溶解・攪拌・拡散装置本体とで水中ポンプの吸引による旋回流又は吐出による噴水流を受けて溶解タンクを通して夫々別々に迅速，容易，確実に溶解・攪拌されるとともに効率良く湯船の浴湯中深くに溶液状となって導出される。そして、その溶液状となって浴湯中深くに導出されたアルカリ性成分と酸性成分とは，浴湯中の温水を循環還流せしめる水中ポンプにより浴湯中で対向離隔されたところから緩やかに繰り返し循環拡散されて接触反応し，浴湯中に炭酸ガスが継続して発生されるようになり、従って粉末状のアルカリ性成分と粉末状の酸性成分とが短時のうちに浴湯の表層面の方で接触反応して炭酸ガスが発生し外部に飛散されてしまうなどという虞はない。
そしてこの場合には，粉末状のアルカリ性成分と粉末状の酸性成分の溶解・攪拌を時間差をおいて行う必要がなく同時に行うこともできるので，各粉末状成分の溶解・攪拌並びに拡散能率を高め，浴湯中での継続した炭酸ガスの発生と発生する炭酸ガス濃度を長時間にわたって高濃度に維持させることを一層迅速，容易，確実，かつ効率良く行うことができる。
【００４６】
請求項１５に係る発明においては、タンク本体周面に配設の複数ないし多数の小孔を介して内部に湯船の浴湯を取り入れ粉末状のアルカリ性成分又は粉末状の酸性成分を投入する蓋付きの溶解タンクと，その下方の浴湯中に配置され湯船の浴湯中の温水を循環還流せしめる水中ポンプとからなり、溶解タンク内に投入された粉末状のアルカリ性成分又は粉末状の酸性成分を溶解タンク内に取り入れられてくる浴湯中の温水の水中ポンプによる吸引又は吐出に伴う旋回流又は噴水流により夫々別々に浴湯への溶解・攪拌・拡散を図る溶解・攪拌・拡散装置本体を具備してなり、このアルカリ性成分又は酸性成分の粉末状成分の浴湯への溶解・攪拌・拡散装置本体を湯船の四隅に対向離隔して配置し，この四隅に対向する粉末状成分の浴湯への溶解・攪拌・拡散装置本体を四隅交互にアルカリ性成分用と酸性成分用とに振り分けるようになしたので、この場合には，粉末状のアルカリ性成分と粉末状の酸性成分のそれぞれ別々の溶解・攪拌を時間差をおいて行う必要がなく，湯船の四隅の離れた場所で同時に行うこともできるので，各粉末状成分の溶解・攪拌並びに拡散能率を高揚を更に高め，浴湯中での継続した炭酸ガスの発生と発生する炭酸ガス濃度を長時間にわたって高濃度に維持させることを更に一層迅速，容易，確実，かつ効率良く行うことができる。
【００４７】
請求項１６に係る発明においては、浴湯中で継続して炭酸ガスを発生させ，その炭酸ガス濃度を長時間にわたって高濃度に維持させるために，アルカリ性成分として粉末状の重曹（炭酸水素ナトリウム），炭酸ナトリウム等のアルカリを用い，酸性成分として粉末状のクエン酸，コハク酸等の酸を用いるようになしたので、高濃度で長時間維持可能な炭酸泉を手軽にかつ経済的に得ることができる。
【図面の簡単な説明】
【００４８】
【図１】本発明の実施例に係る浴用炭酸泉製造装置の使用時の縦断面図。
【図２】同上製造装置の溶液状粉末成分の浴湯中拡散時の縦断面図。
【図３】本発明の他の実施例に係る浴用炭酸泉製造装置の使用時の縦断面図。
【図４】本発明の粉末状成分の溶解タンクの一例を示す縦断面図。
【図５】本発明の粉末状成分の溶解タンクの他の一例を示す縦断面図。
【図６】本発明の他の実施例に係る浴用炭酸泉製造装置の使用時の縦断面図。
【図７】本発明の粉末状成分の溶解タンクの他の一例を示す正面図。
【図８】同上粉末状成分の溶解タンクの粉末状成分投入時の使用説明図。
【発明を実施するための最良の形態】
【００４９】
別紙図面を参照して、本発明に係る浴用炭酸泉の簡易製造装置を実施するための具体的形態である実施の一例について説明する。
【実施例１】
【００５０】
図１は、本発明の実施例１に係る浴用炭酸泉の簡易製造装置の縦断面図である。
１は湯船で，ＡとＢはこの湯船１内の両側端部又は偶角部（対角線上の隅部）に対向離隔して配置されたアルカリ性又は酸性の粉末状成分の浴湯中の温水への溶解，攪拌，拡散を図る一対の溶解・攪拌・拡散装置本体である。
両粉末状成分を接触反応させて浴湯中に炭酸ガスを発生させるための粉末状成分としては、アルカリ性成分として，粉末状の重曹（炭酸水素ナトリウム），粉末状の炭酸ナトリウム等のアルカリを用い、酸性成分として，粉末状のクエン酸，粉末状のコハク酸等の酸を用いる。
アルカリ性又は酸性の粉末状成分の浴湯中の温水への溶解，攪拌，拡散を図る一対の溶解・攪拌・拡散装置本体Ａ，Ｂの一方はアルカリ性成分用、他方は酸性成分用に振り分けられている。
【００５１】
アルカリ性又は酸性の粉末状成分の溶解・攪拌・拡散装置本体Ａ，Ｂは、タンク２本体周面に配設の複数の小孔３を介して内部に湯船１の浴湯を取り入れてその小孔３より下方のタンク２下側部を湯面下方の浴湯中に位置せしめ，その小孔３より上方のタンク２上側部を湯面上に位置せしめて用い粉末状のアルカリ性成分又は粉末状の酸性成分を投入する蓋付きの溶解タンク２と，その下方に接続して浴湯中に配置され前記溶解タンク２内に取り入れられた湯船の浴湯の吸引に伴い湯船１の浴湯中の温水を循環還流せしめる水中ポンプ４とからなっている。
蓋付きの溶解タンク２の湯船１の湯面に対する位置決め姿勢として、タンク本体周面に配設の複数の小孔３を介して内部に湯船１の浴湯を取り入れてその小孔３より下方のタンク下側部を湯面下方の浴湯中に位置せしめ，その小孔３より上方のタンク上側部を湯面上に位置せしめて用いるべく、図４及び図１に示す如く、タンク本体周面に配設の複数の小孔３より上方のタンク上側部周面にタンク本体と一体の円板型等の鍔状の浮き体５を付設せしめて溶解タンク２の浮き体５より上側部分を浴湯の湯面上に浮かせて溶解タンク２を揺動ないし旋回可能となしている。
【００５２】
アルカリ性又は酸性の粉末状成分の溶解・攪拌・拡散装置本体Ａ，Ｂは、この湯船１の浴湯中にゆらゆらと浮かぶ蓋付きの溶解タンク２の揺動ないし旋回作用によって，各粉末状成分の浴湯中の温水への溶解・攪拌能率の高揚と溶解度の高揚を図ることができる。
そして、粉末状のアルカリ性成分又は粉末状の酸性成分を後記に示す金網状ないしメッシュ状の漉し器８（図４，図５参照）を介して投入すると，図２に示す如く溶解タンク２全体が一体付設の鍔状の浮き体５と共に浴湯中深くに沈められ、その投入された粉末状のアルカリ性成分又は粉末状の酸性成分は水中ポンプ４の吸引による旋回流を受けて金網状ないしメッシュ状の目の細かい漉し器８を通過せしめられ夫々の溶解・攪拌・拡散装置本体Ａ，Ｂの溶解タンク２毎に湯船１のコーナーで離れたところで別々に浴湯中の温水へ迅速，容易，確実に溶解・攪拌されるとともに，効率良く湯船１の浴湯中深くに別々に溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができる。  従って粉末状のアルカリ性成分と粉末状の酸性成分とが短時のうちに浴湯の表層面の方で接触反応して炭酸ガスが発生し外部に飛散されてしまうなどという虞はない。
【００５３】
溶解タンク２の湯船１の湯面に対する位置決め姿勢としては、上記のタンク本体と一体の円板型等の鍔状の浮き体５を用いる代わりに、図３及び図５に示す如く、タンク２本体周面に配設の複数の小孔３より上方のタンク上側部周面に発泡スチロール製等のドーナツ円板型等の浮き体６を着脱可能に付設せしめて溶解タンク２の浮き体６より上側部分を浴湯の湯面上に浮かせて溶解タンク２を揺動ないし旋回可能となしてもよい。
【００５４】
この場合には、アルカリ性又は酸性の粉末状成分の溶解・攪拌・拡散装置本体Ａ，Ｂは、同じくこの湯船１の浴湯中にゆらゆらと浮かぶ蓋付きの溶解タンク２の揺動ないし旋回作用によって，各粉末状成分の浴湯中の温水への溶解・攪拌能率の高揚と溶解度の高揚を図ることができる。
そして、粉末状のアルカリ性成分又は粉末状の酸性成分を後記に示す金網状ないしメッシュ状の漉し器８を介して投入すると，図３に示す如く溶解タンク２全体が浮き体６を取り外して浴湯中深くに沈められ、その投入された粉末状のアルカリ性成分又は粉末状の酸性成分は水中ポンプ４の吸引による旋回流を受けて金網状ないしメッシュ状の目の細かい漉し器８を通過せしめられ夫々の溶解・攪拌・拡散装置本体Ａ，Ｂの溶解タンク２毎に離れたところで別々に浴湯中の温水へ迅速，容易，確実に溶解・攪拌されるとともに，効率良く湯船１の浴湯中深くに別々に溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができる。  従って同じく粉末状のアルカリ性成分と粉末状の酸性成分とが短時のうちに浴湯の表層面の近くで接触反応して炭酸ガスが発生し外部に飛散されてしまうなどという虞はない。
【００５５】
また、上記タンク２本体と一体型浮き体５或いは別体の着脱型浮き体６を用いる代わりに、図示しないが、溶解タンク２を棒状ないし紐状の吊り下げ具を介して湯船の縁枠ないし壁面等に吊り下げ配置せしめて溶解タンク２の上側部分を浴湯の湯面上に浮かせて溶解タンク２を揺動ないし旋回可能となすようにしてもよい。
【００５６】
溶解タンク２の下面中央部には，内外両面に向かって所定長さ突出し，下方の水中ポンプ４に接続する受け筒７が突出されている。
【００５７】
溶解タンク２内には前記受け筒７の上側面に下面を臨ませて前記の目の細かい金網状ないしメッシュ状の漉し器８が付設されており、水中ポンプ４は浴湯中に位置して配置され溶解タンク２内に取り入れられてくる浴湯中の温水を吸引して旋回流となして投入された粉末状成分を金網状ないしメッシュ状の目の細かい漉し器８を通過せしめることによってその粉末状成分の浴湯中の温水への溶解・攪拌を図り、浴湯中深くにまで導出して湯船内を循環還流させる。
金網状ないしメッシュ状の漉し器８の形状は図４、図５の如く深く下方に湾曲したＵ字型湾曲形状となす或いは図示しないが浅く上方に湾曲した逆Ｕ字型湾曲形状となすのいずれでもよい。
【００５８】
また，溶解タンク２内周面には，更にメッシュないしブラシ状のマット９を張り巡らす場合もある。  溶解タンク２内に付設された目の細かい金網状ないしメッシュ状の漉し器８の内面上に向けて粉末状のアルカリ性成分又は粉末状の酸性成分を投入する。
この金網状ないしメッシュ状の漉し器８内面上に投入された粉末状のアルカリ性成分又は粉末状の酸性成分は、溶解タンク２内に導入されてくる浴湯中及び金網状の漉し器８内面に向けて投入され、下方の水中ポンプ２による溶解タンク２内に導入されてくる浴湯の吸引に伴う浴湯中の温水の旋回流を受けて目の細かい金網状の漉し器８を通過せしめられて，またメッシュないしブラシ状のマット９の目の細かい金網状ないしメッシュ状の絡みつく繊維内を押し込み通過されることによって迅速，容易，確実に浴湯中の温水への溶解・攪拌をされながら水中ポンプ４の吐出口を介して浴湯中奥深くにまで導出される。
浴湯中奥深くにまで夫々別々に確実に均一に溶解されて溶液状となって導出された粉末状のアルカリ性成分又は酸性成分は、水中ポンプ４と溶解タンク２を介した温水の循環還流により浴湯中で緩やかに繰り返し循環拡散されている間にゆっくりと接触反応し，浴湯中の温水へ炭酸ガスが継続して発生されるようになる。従って，粉末状のアルカリ性成分と粉末状の酸性成分とが短時のうちに浴湯の表層面の近くで接触反応して炭酸ガスが発生し外部に飛散されてしまうなどという虞はなく、浴湯中に継続して炭酸ガスが発生されるとともに、その発生する炭酸ガスの濃度も長時間にわたって高濃度に安定して維持させることができる。
【００５９】
蓋付きの溶解タンク２とその下方に吸引口を接続した水中ポンプ４とからなるアルカリ性又は酸性の粉末状成分の溶解・攪拌・拡散装置本体Ａ，Ｂにおける各蓋付きの溶解タンク２の構造として、タンク２の本体周面を目の細かい多数の小孔を有する金網状ないしメッシュ状の漉し器８と同様の素材で形成する場合もある。  そしてこの場合には、各粉末状の成分の浴湯中の温水への溶解・攪拌・拡散効率を高めその溶解度の高揚を図るために、蓋付きの溶解タンク２内に更に金網状ないしメッシュ状の漉し器８を配設し、またメッシュないしブラシ状のマット９を張り巡らす場合もある。
そしてこの場合には、更に粉末状成分の浴湯中の温水への溶解・攪拌・拡散効率と溶解度の高揚を図るために、更に溶解タンク２本体の一部を湯船１の浴湯中の湯面に浮かべ、溶解タンク２を浴湯中で揺動ないし旋回可能となす場合もある。即ち、溶解タンク２本体を、棒状ないし紐状の吊り下げ具を介して湯船の縁枠ないし壁面に吊り下げる，或いはタンク２本体上側部に固定一体型の浮き体５ないし着脱可能別体型の浮き体６を配設して溶解タンク２を浴湯中で揺動ないし旋回可能となす場合である。
【００６０】
この場合には、同じくこの湯船１にゆらゆらと浮かぶ溶解タンク２の揺動ないし旋回作用によって，各粉末状成分の温水中への溶解・攪拌能率の高揚と溶解度の高揚を図ることができる。
粉末状のアルカリ性成分又は粉末状の酸性成分を投入した後，金網状ないしメッシュ状の漉し器８と同様のもので形成された溶解タンク２全体が吊り下げ具を外す等して浴湯中深くに沈められ、その投入された粉末状のアルカリ性成分又は粉末状の酸性成分は水中ポンプの吸引による旋回流を受けて金網状ないしメッシュ状の目の細かい漉し器８と同様のもので形成されたタンク本体２の周壁面を通過せしめられ夫々別々に迅速，容易，確実に溶解・攪拌されるとともに効率良く湯船の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができる。
【００６１】
湯船１の浴湯中の温水を循環還流せしめる水中ポンプ４として、粉末状のアルカリ性成分又は酸性成分を投入する溶解タンク２の下方に吐出口を接続して浴湯中に配置されてその溶解タンク２内に取り入れられた湯船の浴湯の吐出に伴う噴水流を介して湯船の浴湯中の温水を循環還流せしめるものを用いる場合もある。この場合においても、前記の溶解タンク２の下方に吸引口を接続して浴湯中に配置されてその溶解タンク２内に取り入れられた湯船１の浴湯の吸引に伴う旋回流を介して湯船１の浴湯中の温水を循環還流せしめる場合と同様に、投入された粉末状のアルカリ性成分又は粉末状の酸性成分の浴湯中の温水への溶解・攪拌を迅速，容易，確実に効率良く行うことができる。
そして更に、粉末状のアルカリ性成分又は粉末状の酸性成分を投入した溶解タンク２全体が浴湯中深くに沈められ、その投入された粉末状のアルカリ性成分又は粉末状の酸性成分は水中ポンプ４の吐出による噴水流を受けて溶解タンク２を通して夫々別々に迅速，容易，確実に溶解・攪拌されるとともに効率良く湯船１の浴湯中深くに溶液状となって導出され浴湯中で繰り返し循環還流・拡散されて緩やかに接触し，もって浴湯中で継続的に炭酸ガスを発生させ高濃度の炭酸ガスを長時間にわたり安定して維持させることができるのも同様である。
【実施例２】
【００６２】
図６〜図８は、本発明の実施例２（他の実施例）に係る浴用炭酸泉の簡易製造装置の縦断面図である。  この場合には、粉末状のアルカリ性成分又は粉末状の酸性成分を投入する蓋付きの溶解タンク１２と，湯船１の浴湯中の温水を循環還流せしめる水中ポンプ１４とを接続せずに浴湯中深くに沈めて近接配置して用いることによりその各粉末状成分の浴湯中の温水への別々の溶解・攪拌・拡散を迅速，容易，確実に図るようになしたものである。
【００６３】
即ちこの場合には、タンク１２本体に有する金網状ないしメッシュ状の目の細かい多数の小孔１３を介して湯船１の浴湯中の温水を取り入れ，アルカリ性又は酸性の粉末状成分を投入してその溶解・攪拌を図る蓋付きの溶解タンク１２と，この溶解タンク１２に接続されずに予め浴湯中に配置されてあとから隣接配置されてくる前記溶解タンク１２内に取り入れられた湯船１の浴湯中の温水の吸引又は吐出に伴う旋回流又は噴水流により湯船１の浴湯中の温水を循環還流せしめて溶解タンク１２内に投入されたアルカリ性又は酸性の粉末状成分の浴湯中の温水への溶解，攪拌，拡散を図る水中ポンプ１４とからなる溶解・攪拌・拡散装置本体Ｅ〜Ｈを具備してなるものである。
【００６４】
蓋付きの溶解タンク１２は、図６〜図８で示すように、タンク本体周壁面を目の細かい多数の小孔１３を有する金網状ないしメッシュ状の漉し器８と同様のもので形成されており、予め内部に湯船１の浴湯中の温水が取り入れられ易い構造となっている。
図６は、このアルカリ性又は酸性の粉末状成分の浴湯中の温水への溶解，攪拌，拡散を図る一対の溶解・攪拌・拡散装置本体Ｅ，Ｆを湯船１内の両側端部又は偶角部（対角線上の隅部）に対向離隔して配置せしめた使用説明図（縦断面図）である。
一対の溶解・攪拌・拡散装置本体Ｅ，Ｆの一方は粉末状のアルカリ性成分用、他方は粉末の酸性成分用に振り分けられている。
【００６５】
タンク本体周壁面を金網状ないしメッシュ状の目の細かい多数の小孔１３を有する構造で形成した蓋付きの溶解タンク１２内へのアルカリ性又は酸性の粉末状成分の投入を図る場合には、図８で示す如く、蓋を開け蓋を逆さにしてその中にアルカリ性又は酸性の粉末状成分を盛り付け、その粉末状の成分を盛った蓋を再び逆さにしてタンク１２本体内に粉末状の成分を投入する。
【００６６】
そして、その粉末状のアルカリ性成分又は酸性成分を投入した金網状ないしメッシュ状の漉し器と同様のもので形成された溶解タンク１２全体が浴湯中深くに沈められて，予め湯船の底面上に置かれている水中ポンプ１４の吸引口又は吐出口近くに隣接配置されて用いられる。
【００６７】
すると、その溶解タンク１２内に投入された粉末状のアルカリ性成分又は酸性成分は，溶解タンク１２内に取り入れられた湯船１の浴湯中の温水が水中ポンプ１４の吸引による旋回流又は吐出による噴水流を受けて金網状又はメッシュ状の漉し器と同様のもので形成された目の細かいタンク本体１２の周壁面を通過せしめられて夫々別々に迅速，容易，確実に浴湯中の温水へ溶解・攪拌されるとともに，効率良く湯船の浴湯中深くにおいて溶液状となって導出され，浴湯中で繰り返し循環還流・拡散されて緩やかに接触し，もって浴湯中で継続的に炭酸ガスを発生させ高濃度の炭酸ガスを長時間にわたり安定して維持させることができるものである。
【００６８】
そして、その溶液状となって浴湯中深くに導出されたアルカリ性成分と酸性成分とは，浴湯中の温水を循環還流せしめる水中ポンプにより浴湯中で対向離隔されたところから緩やかに繰り返し循環拡散されて接触反応し，浴湯中に炭酸ガスが継続して発生されるようになり、従って粉末状のアルカリ性成分と粉末状の酸性成分とが短時のうちに浴湯の表層面の方で接触反応して炭酸ガスが発生し外部に飛散されてしまうなどという虞はない。
そしてこの場合には，粉末状のアルカリ性成分と粉末状の酸性成分の溶解・攪拌を時間差をおいて行う必要がなく同時に行うこともできるので，各粉末状成分の溶解・攪拌並びに拡散能率を高め，浴湯中での継続した炭酸ガスの発生と発生する炭酸ガス濃度を長時間にわたって高濃度に維持させることを一層迅速，容易，確実，かつ効率良く行うことができる。
【００６９】
アルカリ性成分又は酸性成分の粉末状成分の浴湯への溶解・攪拌・拡散装置本体を４基Ｅ，Ｆ，Ｇ，Ｈ用意し、これを湯船１の四隅に対向離隔して配置し，この四隅に対向する粉末状成分の浴湯への溶解・攪拌・拡散装置本体Ｅ〜Ｈを四隅交互にアルカリ性成分用と酸性成分用とに振り分けるようにななす場合もある。
この場合には，粉末状のアルカリ性成分と粉末状の酸性成分のそれぞれ別々の浴湯中の温水への溶解・攪拌を時間差をおいて行う必要がなく，湯船１の四隅の離れた場所で同時に行うこともできるので，各粉末状成分の溶解・攪拌並びに拡散能率の高揚を更に高め，浴湯中での継続した炭酸ガスの発生と発生する炭酸ガス濃度を長時間にわたって高濃度に維持させることを更に一層迅速，容易，確実に，かつ効率良く行うことができる。
【符号の説明】
【００７０】
１  湯船
２  溶解タンク
１２  溶解タンク
３  複数の小孔（吸引又は吐出孔）
１３  多数の小孔（吸引又は吐出孔）
４  水中ポンプ
１４  水中ポンプ
５  タンクと一体型浮き体
６  タンクと別体型浮き体
７  受け筒
８  目の細かい金網状の漉し器
９  メッシュないしブラシ状のマット
Ａ  粉末状成分の溶解・攪拌・拡散装置本体
Ｂ  粉末状成分の溶解・攪拌・攪拌装置本体
Ｃ  粉末状成分の溶解・攪拌・拡散装置本体
Ｄ  粉末状成分の溶解・攪拌・拡散装置本体
Ｅ  粉末状成分の溶解・攪拌・拡散装置本体
Ｆ  粉末状成分の溶解・攪拌・拡散装置本体
Ｇ  粉末状成分の溶解・攪拌・拡散装置本体
Ｈ  粉末状成分の溶解・攪拌・拡散装置本体
【図１】
2014018772.tif 000003
【図２】
2014018772.tif 000004
【図３】
2014018772.tif 000005
【図４】
2014018772.tif 000006
【図５】
2014018772.tif 000007
【図６】
2014018772.tif 000008
【図７】
2014018772.tif 000009
【図８】
2014018772.tif 000010